(57)【要約】【課題】照明具の熱による劣化を低減させることが可能な空調照明器具を提供すること。【解決手段】ファン２と、ファン２の回転によって移動する空気の流路に設けられた照明具３と、照明具３とファン２を連結する連結部４と、ファン２の吸引側であって、ファン２から第１の所定間隔７を設けて配置された板状部５を備え、ファン２は、回転する羽根部２１と、その羽根部２１の周辺に設けられたフレーム２２を有し、照明具３は、フレーム２２の周囲に配置されており、ファン２の送風側に向けて光を照射する照射部３１を有し、照明具３と板状部５の間には、第２の所定間隔６が設けられている、空調照明器具である。【選択図】図７
2012069340.tif 000002
【特許請求の範囲】
【請求項１】
ファンと、
前記ファンの回転によって移動する空気の流路に設けられた照明具と、
前記照明具と前記ファンを連結する連結部とを備えた、空調照明器具。
【請求項２】
前記ファンの吸引側であって、前記ファンから第１の所定間隔を設けて配置された板状部を更に備え、
前記ファンは、
回転する羽根部と、
その羽根部の周辺に設けられたフレームを有し、
前記照明具は、前記フレームの周囲に配置されており、前記ファンの送風側に向けて光を照射する照射部を有し、
前記照明具と前記板状部の間には、第２の所定間隔が設けられている、請求項１記載の空調照明器具。
【請求項３】
前記連結部は、
前記ファンが配置されるファン配置部と、
前記ファン配置部の周囲に設けられた、前記照明具を支持する照明具支持部とを有し、
前記板状部は、前記連結部に固定されている、請求項２記載の空調照明器具。
【請求項４】
前記照明具は、厚板形状であって、長手方向を軸として回動可能に前記照明具支持部に支持されている、請求項３記載の空調照明器具。
【請求項５】
前記ファン配置部は、矩形状であり、
前記照明具支持部は、前記矩形状の４角に設けられており、
前記照明具は、その長手方向が、前記矩形状の４辺のそれぞれと所定間隔をおいて平行になるように４つ設けられている、請求項４記載の空調照明器具。
【請求項６】
前記照明具は、
前記照射部の反対側に設けられ、その照射部を冷却する冷却フィン部を有し、
前記冷却フィン部と前記板状部の間に前記第２の所定間隔が形成されており、
前記第２の所定間隔及び前記第１の所定間隔を通って、前記ファンに空気が吸引される、請求項２記載の空調照明器具。
【請求項７】
前記照射部の温度を検知する温度センサと、
前記温度センサの検知温度に基づいて前記ファンの制御を行う制御部とを更に備えた、請求項２記載の空調照明器具。
【請求項８】
蛍光灯又はＬＥＤ灯を接続する接続部に接続された、複数の電力供給部を有する電源ハブから電気が供給される、請求項１〜７のいずれかに記載の空調照明器具。
【発明の詳細な説明】
【技術分野】
【０００１】
本発明は、空調照明器具に関する。
【背景技術】
【０００２】
近年、ＬＥＤランプを備えた照明器具が普及してきている（例えば、特許文献１参照。）。
【０００３】
特許文献１では、蛍光ランプ及び保安灯としてのＬＥＤランプをセードに設けたハロゲンランプが備えられており、使用用途に応じてハロゲンランプ側セードを回動させることが可能なデスクスタンドが開示されている。
【先行技術文献】
【特許文献】
【０００４】
【特許文献１】特開２００５−１８３３５１号公報
【発明の概要】
【発明が解決しようとする課題】
【０００５】
しかしながら、上記特許文献１の照明器具では、蛍光灯、ＬＥＤ、ハロゲンランプなどの照明が熱を持ちやすく、劣化し易かった。
【０００６】
本発明は、上記従来の照明器具の課題を考慮し、照明の熱による劣化を低減させることが可能な空調照明器具を提供することを目的とする。
【課題を解決するための手段】
【０００７】
上記目的を達成するために、第１の本発明は、
ファンと、
前記ファンの回転によって移動する空気の流路に設けられた照明具と、
前記照明具と前記ファンを連結する連結部とを備えた、空調照明器具である。
【０００８】
第２の本発明は、
前記ファンの吸引側であって、前記ファンから第１の所定間隔を設けて配置された板状部を更に備え、
前記ファンは、
回転する羽根部と、
その羽根部の周辺に設けられたフレームを有し、
前記照明具は、前記フレームの周囲に配置されており、前記ファンの送風側に向けて光を照射する照射部を有し、
前記照明具と前記板状部の間には、第２の所定間隔が設けられている、第１の本発明の空調照明器具である。
【０００９】
第３の本発明は、
前記連結部は、
前記ファンが配置されるファン配置部と、
前記ファン配置部の周囲に設けられた、前記照明具を支持する照明具支持部とを有し、
前記板状部は、前記連結部に固定されている、第２の本発明の空調照明器具である。
【００１０】
第４の本発明は、
前記照明具は、厚板形状であって、長手方向を軸として回動可能に前記照明具支持部に支持されている、第３の本発明の空調照明器具である。
【００１１】
第５の本発明は、
前記ファン配置部は、矩形状であり、
前記照明具支持部は、前記矩形状の４角に設けられており、
前記照明具は、その長手方向が、前記矩形状の４辺のそれぞれと所定間隔をおいて平行になるように４つ設けられている、第４の本発明の空調照明器具である。
【００１２】
第６の本発明は、
前記照明具は、
前記照射部の反対側に設けられ、その照射部を冷却する冷却フィン部を有し、
前記冷却フィン部と前記板状部の間に前記第２の所定間隔が形成されており、
前記第２の所定間隔及び前記第１の所定間隔を通って、前記ファンに空気が吸引される、第２の本発明の空調照明器具である。
【００１３】
第７の本発明は、
前記照射部の温度を検知する温度センサと、
前記温度センサの検知温度に基づいて前記ファンの制御を行う制御部とを更に備えた、第２の本発明の空調照明器具である。
【００１４】
第８の本発明は、
蛍光灯又はＬＥＤ灯を接続する接続部に接続された、複数の電力供給部を有する電源ハブから電気が供給される、第１〜７のいずれかの本発明の空調照明器具である。
【発明の効果】
【００１５】
本発明によれば、照明の熱による劣化を低減させることが可能な空調照明器具を提供することが出来る。
【図面の簡単な説明】
【００１６】
【図１】本発明にかかる実施の形態１における空調照明器具を正面側から見た斜視構成図
【図２】本発明にかかる実施の形態１における空調照明器具を側方側から見た斜視構成図
【図３】本発明にかかる実施の形態１における空調照明器具の分解斜視図
【図４】本発明にかかる実施の形態１における空調照明器具の照明具を表側から見た斜視図
【図５】本発明にかかる実施の形態１における空調照明器具の照明具を裏側から見た斜視図
【図６】本発明にかかる実施の形態１における空調照明器具の連結具の正面模式図
【図７】本発明にかかる実施の形態１における空調照明器具の断面模式図
【図８】本発明にかかる実施の形態２における空調照明器具を正面側から見た斜視構成図
【図９】本発明にかかる実施の形態２における空調照明器具の変形例を示す斜視構成図
【図１０】本発明にかかる実施の形態１の変形例の空調照明器具を示す断面模式図
【図１１】本発明にかかる実施の形態１の空調照明器具の電源供給の構成を示す図
【発明を実施するための形態】
【００１７】
以下、本発明にかかる実施の形態について図面を参照しながら説明する。
【００１８】
（実施の形態１）
本発明にかかる実施の形態１における空調照明器具について説明する。
【００１９】
図１は、本実施の形態１における空調照明器具を正面側から見た斜視構成図である。又、図２は、本実施の形態１における空調照明器具を側方側から見た斜視構成図である。又、図３は、空調照明器具の分解図である。
【００２０】
図１〜３に示すように、本実施の形態１の空調照明器具１は、その中央に内蔵するように配置されたファン２と、ファン２を囲むように設けられた、４つの厚板形状の照明具３とを備えている。又、ファン２と照明具３を連結するために、ファン２を前側から覆うように形成された連結部４が設けられており、ファン２を挟むように、ファン２の後側に板状部５が設けられている。
【００２１】
図３に示すように、上記ファン２は、回転軸の周囲に複数枚の羽根を有する羽根部２１と、その羽根部２１の周囲を囲むように設けられたフレーム２２とを有している。このフレーム２２は、正面視において矩形状に形成されており、各辺と平行に照明具３が配置されている。又、ファン２は、軸の方向に沿って空気を吸引し、送風するファンであり、図中矢印Ａ方向に送風する。すなわち、裏側から空気を吸引し、前側に送風するように構成されている。
【００２２】
図４は、照明具３を表側から見た斜視図であり、図５は、照明具３を裏側から見た斜視図である。図４及び図５に示すように、照明具３は厚板形状であり、一端３ａから他端３ｂに向かって厚みが徐々に薄くなっている。この一端３ａが、フレーム２２側に配置される。そして、長手方向の両端面３ｅには、その一端３ａよりに凹部３０が形成されている。この凹部３０には、照明具３を支持するための支持部が挿入される。又、図４に示すように、照明具３の表面側には照明部３１が設けられている。この照明部３１は、複数のＬＥＤ（Light Emitting Diode）が配置されて構成されている。一方、図５に示すように、照明具３の裏側には冷却フィン部３２が設けられている。この冷却フィン部３２には、複数のフィンが配置されており、照明部３１の冷却が行われる。尚、照明部３１に配置する照明としては、ＬＥＤの他、蛍光灯、ハロゲンランプ等が用いられても良い。
【００２３】
図６は、連結部４の正面図である。図３及び図６に示すように、連結部４には、ファン２が挿入配置される、正面視矩形状のファン配置部４１と、その矩形状の４角に設けられた照明具支持部４２を有している。ファン配置部４１は、裏面を除いてファン２の前面及び側面を覆うように、前面４１１及び側面４１２を有する箱形状であり、ファン配置部４１の前面４１１には複数の送風口４１３が形成されている。ファン２によって吐き出された空気が送風口４１３を通って正面側に送風される。尚、ファン配置部４１へのファン２の固定は、ビスや接着剤等を用いて行うことが出来る。
【００２４】
連結部４の照明具支持部４２は、図１に示すように空調照明器具１全体の４角を形成しており、正面視において略扇形状である。そして、それぞれの照明具支持部４２は、ファン配置部４１の側面４１２（図３参照）に対して垂直な側面４２１を２つ有している。図６に示すように、この垂直な側面４２１のそれぞれには、側面４２１から垂直に突出した突起部４２２が設けられている。
【００２５】
図３に示すように、照明具３の両端面３ｅの凹部３０に、隣り合う照明具支持部４２の対向する側面４２１に形成されている突起部４２２が挿入されることによって、照明具３は、両端の凹部３０を結ぶ線を軸として回動可能に連結部４に支持される（後述する図７の矢印Ｂ参照）。そして、照明具３は回動した状態が保持される。図１の上方に配置されている照明具３は、回動した状態が示されている。回動した状態を保持する構成としては、公知の技術を用いればよく、例えば、断面Ｖ字状の板バネを両端面３ｅの一方に設け、側面４２１に突起部を中心にして複数の凹部を形成し、Ｖ字の先端を適切な凹部に嵌めることによって、照明具３を複数の回動位置で保持することが出来る。また、凹部を形成せずＶ字の板バネによって側面４２１を押圧することによって、照明具３が保持されていても良い。このように回動可能にすることによって、照射位置を変更することが出来、ユーザが適切な位置に光を照射することが出来る。尚、照明具３を回動可能とするため、照明具３と側面４２１の間には、所定の間隔が形成されており、照明具３を回動させても側面４２１と干渉しない（後述する図７のｔ１参照）。
【００２６】
又、図３に示すように、板状部５には、４角にアールが形成された矩形状の平面部５０と、その４角近傍に平面に対して垂直に形成された突起部５１とを有している。この突起部５１は、板状部５と連結部４を固定するためのものであり、連結部４側に形成されている凹部（図示せず）に嵌められる。尚、板状部５と連結部４の固定は、このような構成でなくてもよく、ビス止めや接着剤を用いて固定してよく、要するに固定出来さえすればよい。又、板状部５の縁には、平面に対して垂直に形成された縁部５２が形成されている。この縁部５２は、矩形状の辺部分５２１が４角部分５２２に比べて高さが高くなるように形成されている。この辺部分５２１は、図２に示すように、照明具支持部４２の間に嵌る長さに形成されている。
【００２７】
図７は、図１のＡＡ´間の簡易断面模式図であり、正面側が上方、裏面側が下方になるように記載されている。図７に示すように、板状部５と照明具３の間には間隔６が形成されており、ファン２と板状部５の間にも間隔７が形成されている。この間隔７が、本発明の第１の所定間隔の一例に相当し、間隔６が本発明の第２の所定間隔の一例に相当する。
【００２８】
図示されていないスイッチをオンすることにより、ファン２が回転するとともに、照明部３１のＬＥＤが点灯される。そして、空気は、間隔６及び間隔７を順に通過して、ファン２に裏側から吸引され、送風口４１３を通して前方へと送風される。詳しく述べると、図７において、空気は、照明具３の冷却フィン部３２と縁部５２の辺部分５２１の間、冷却フィン部３２と平面部５０の間、側面４１２の裏側（吸引側）の端と板状部５の平面部５０との間、フレーム２２の裏側（吸引側）の端と板状部５の平面部５０との間を順に通過して、ファン２に吸引される（矢印Ｃ参照）。
【００２９】
このように、ファン２に吸引される空気の通路上に、照明部３１を冷却するための冷却フィン部３２が設けられているため、照射部３１の発熱を効率よく冷却することが出来、照明部３１に搭載されている照明の劣化を軽減させることが可能となる。
【００３０】
又、本実施の形態の空調照明器具は、例えば、オフィスの個人の机上に設置されるが、板状部５の裏側に支持部などを設けて転倒を防止するようにしても良いし、扇風機のような支持台を設けても良い。更に、板状部５の裏面側に、例えば、貫通孔を設けることによって壁掛け可能な構成にしても良い。
【００３１】
（実施の形態２）
以下に、本発明にかかる実施の形態２における空調照明器具について説明する。
【００３２】
本実施の形態２における空調照明器具は、実施の形態１と基本的な構成は同じであるが、送風口の形状が異なっている。そのため、本相違点を中心に説明する。尚、実施の形態１と同じ構成については同一の符号を付している。
【００３３】
図８は、本実施の形態２の空調照明器具１０の正面側から見た斜視構成図である。本実施の形態２の空調照明器具１０は、ファン配置部の前面形状が、実施の形態１の空調照明器具１と異なっている。図８に示すように、本実施の形態２のファン配置部４１´の前面４１１´は、矩形の板形状の中央部４３５と、中央部４３５の周縁部分である周縁部４３６を有している。この中央部４３５は、その中心側が周辺と比べて凹んで形成されている。又、周縁部４３６は、前面４１１´の縁から中央側に向かってすり鉢状に凹むように形成されており、中央部４３５は、周縁部４３６の中央側の端４３６ｅから正面側に向かって突出して配置されている。このように中央部４３５が突出して配置されることによって、周縁部４３６の中央側の端４３６ｅと中央部４３５の縁４３５ａの間に隙間が形成される。この隙間が、ファン２によって正面側に送風される空気の送風口４３７となる。そして、送風口４３７から吹き出した空気は、すり鉢状の周縁部４３６によって周囲に広がって送風される。
【００３４】
このように本実施の形態２では、広がって送風されるため、ユーザに直接風を当てず、快適な送風を実現出来る。
【００３５】
尚、本実施の形態２の空調照明器具１０は、机上に設置しても良いが、天井に設置してもよい。この場合、板状部５の裏面を天井と接触するように配置してもよいが、図９の空調照明器具１０´に示すように、板状部５を設けずに天井に配置してもよい。この場合、照明具支持部４２と天井が接触することになり、照明具３と天井の間には間隔１１が形成される。この間隔１１が本発明の第２の所定間隔の一例に相当し、天井が本発明の板状部の一例に相当する。又、空調照明器具を天井に配置する場合、オン・オフを行うリモコンが備えられている方が好ましい。
【００３６】
又、上記実施の形態１、２では、スイッチをオンすることによって、ファン２が回転するとともに、照明部３１のランプが点灯すると説明したが、例えば、ファン２用のスイッチと照明部３１の点灯用のスイッチが別々に設けられていても良い。
【００３７】
又、図１０に示すように照明部３１の温度を検知する温度センサ８と、その温度センサ８の検知結果に応じてファン２の回転を制御する制御部９が設けられていても良い。この制御部９は、空調照明器具１の内部に搭載されていてもよいし、板状部５の裏面側に配置されていても良い。例えば、ファン２用と照明部３１の点灯用に別々のスイッチが設けられており、照明部３１のみ点灯させた状態の場合、照明部３１の温度が所定温度以上になると、制御部９は、ファン２を回転させるように制御を行う。このように強制的にファン２を回転させる制御を行うことによって照明部３１の照明の劣化を低減することが出来る。更に、センサの温度によって、ファン２の回転数を増減させるように制御が行われても良い。例えば、センサの温度が下がるに従って、ファン２の回転数を少なくする様な制御を行うことが出来る。
【００３８】
又、ファン２を強制的に回転させたにもかかわらず、照明部３１の温度が所定時間経過しても下がらない場合には、火災などが発生していると判断し、警報を発するように警報機と接続されていても良い。
【００３９】
又、空調照明器具１、１０、１０´の内部又は外部に、Ｗｉｆｉ認証を受けた無線通信、ＺＩＧｂｅｅ等の規格の無線通信、又は有線通信を行うための通信モジュールを設けることにより、温度センサを監視し、空調照明器具の故障診断や予防保全を行うことが出来る。例えば、ファン２を強制的に回転させたにもかかわらず、照明部３１の温度が所定時間経過しても下がらず、更に火災などが発生していない場合には、故障が発生していると判断することが出来る。
【００４０】
又、上記のように空調照明器具１、１０、１０´に通信モジュールが設けられている場合、更にスピーカを内蔵することにより、オフィス空間に音楽等の音声情報の提供を行うことが可能となる。
【００４１】
また、上記空調照明器具１、１０、１０´では、照明具３の回動を手動で行う必要があったが、モーター等を内蔵してリモコンによって調整可能に構成されていてもよい。
【００４２】
上記空調照明器具１、１０では、例えば、電源プラグを各個人の机近傍のコンセントに差し込むことによって電力供給を行う必要があったが、図１１に示すように、天井の蛍光灯又はＬＥＤ灯Ｓを１つ取り外し、そこに複数のコンセントを有する電源ハブ６０を配置することによって空調照明器具に電力供給を行っても良い。図１１では、この電源ハブ６０には、本発明の電源供給部の一例であるコンセント６０１が４つ設けられており、それぞれのコンセント６０１に空調照明器具１が接続されている。電源ハブ６０の構成としては、例えば、板状であり、その一方の面に回路が形成されており、他方の面に複数のコンセント６０１が設けられている。そして、蛍光灯又はＬＥＤ灯Ｓを接続する接続部Ｔに、電源ハブ６０を取り付けることによって、コンセント６０１から照明器具１へと電気を供給することが出来る。このようにして電気が供給され、それぞれの空調照明器具１は、各個人の机上等に配置される。尚、例えば、電源ハブ６０への入力はＡＣ１００Ｖ―２４０Ｖであり、電源ハブ６０からの出力はＤＣ１２Ｖ、８Ａとすることが出来る。そして、各空調照明器具へは２Ａずつ配分される。又、電源供給部からの出力をＡＣとし、ＡＣアダプターを介して照明器具１へと電気を供給する構成としてもよい。
【００４３】
又、複数の空調照明器具がオフィスに設けられ、それぞれにｗｉｆｉ認証を受けた８０２．１１ａ／ｂ  ｇ  ｎ等の通信規格の通信モジュールを設け、各空調照明器具との通信をサーバーなどで行うことにより、複数の空調照明器具を一括して制御することが出来る。例えば、気象情報や建物内の窓からの太陽光の入射情報などの総合的な環境情報に基づいて、各空調照明器具の照明やファン制御を行うことが出来る。すなわち、晴天の日等に窓際近傍の空調照明器具に対しては、ＬＥＤの発光を弱め、暑い日には、空調設備から遠い位置の空調照明器具に対してはファンの回転を強める等といったように最適な制御を行うことが出来、省エネルギー化を図ることが可能となる。このような環境情報を取得するために、各空調照明器具に温度、湿度、圧力、又は光強度を測定するセンサが設けられていても良い。更に、照明及び空調の消費エネルギーの季節や一日における変化を学習し、各空調照明器具を適切に制御することによって、オフィス全体の省エネルギー化を図ることも出来る。
【００４４】
又、既存の空調設備があったとしても、このように個別に空調を備え、個別に調整することが出来るため、既存の空調設備は暖房時には低い目、冷房時には高い目に設定し、それぞれの空調によって個別に調整を行うことによって、省エネ化を図ることが出来る。
【００４５】
尚、上記実施の形態の板状部５には縁部５２が設けられているが、設けられていなくても良い。
【００４６】
尚、上記実施の形態の照明具３には、冷却フィン部３２が設けられていたが、十分に冷却される場合には、冷却フィン部３２が設けられていなくても良い。
【００４７】
又、上記実施の形態の連結部４のファン配置部４１、４１´には、前面４１１、４１１´が設けられているが、この形状に限らなくても良く、ファン２を固定することさえ出来れば、前面がなくても良い。
【００４８】
又、上記実施の形態の空調照明器具１、１０、１０´は、いずれも正面視矩形状であるが、矩形状に限らず、多角形状や円形状であってもよい。更に、ファン２のフレーム２２及びファン配置部４１の正面形状も矩形状に限らず、多角形や円形状であっても良い。
【００４９】
又、上記実施の形態では、照明具３は一方に長い厚板形状であったが、湾曲していても良い。又、照明具３は回動可能に構成されていなくても良い。
【産業上の利用可能性】
【００５０】
本発明の空調照明器具は、照明具の熱による劣化を低減させる効果を有し、オフィスなどで用いられる個人用の空調照明器具等として有用である。
【符号の説明】
【００５１】
１、１０、１０´  空調照明器具
２  ファン
３  照明具
４  連結部
５  板状部
６、７  間隔
８  温度センサ
９  制御部
２１  羽根部
２２  フレーム
３０  凹部
３１  照明部
３２  冷却フィン部
４１  ファン配置部
４２  照明具支持部
５０  平面部
５１  突起
５２  縁部
６０  電源ハブ
４１１  前面
４１２  側面
４１３  送風口
４２１  側面
４２２  突起部
４３５  中央部
４３６  周縁部
５２１  辺部分
５２２  ４角部分
６０１  コンセント
【図１】
2012069340.tif 000003
【図２】
2012069340.tif 000004
【図３】
2012069340.tif 000005
【図４】
2012069340.tif 000006
【図５】
2012069340.tif 000007
【図６】
2012069340.tif 000008
【図７】
2012069340.tif 000009
【図８】
2012069340.tif 000010
【図９】
2012069340.tif 000011
【図１０】
2012069340.tif 000012
【図１１】
2012069340.tif 000013